(57)【要約】【課題】例えばクラシックギタ−等の弦楽器用ケ−スに好適で、軽量で高い断熱性と緩衝作用を得られ、搬送時や保管時における湿気や温度、衝撃から楽器を防護し、音色の変化や音質の劣化を防止するとともに、その損傷や破損を防止し、またケ−ス本体と蓋体との開閉操作の合理化と、開閉作動の円滑かつ安定化を図り、ケ−ス内の密閉性を高める一方、ケ−ス本体内のポケットを合理的に構成し、ケース本体スペ−スの有効利用を図るとともに、楽器の表面板ないし駒への押圧および接触等を極力阻止し、その音色の変化や音質の劣化を阻止して、楽器を安全に搬送し保管できる楽器用ケースを提供すること。【解決手段】楽器６を収容可能なケ−ス本体２と、該ケ−ス本体２を開閉可能な蓋体３とを回動可能に連結した楽器用ケースであること。前記ケ−ス本体２と蓋体３の外周面に、スペ−サ−１８〜２１を介して断熱板２２，２３を接着する。前記断熱板２２とケ−ス本体２および断熱板２３と蓋体３との間に空気断熱部２４，２５を設ける。【選択図】        図２
2004344406.tif 000002
【特許請求の範囲】
【請求項１】
楽器を収容可能なケ−ス本体と、該ケ−ス本体を開閉可能な蓋体とを回動可能に連結した楽器用ケースにおいて、前記ケ−ス本体と蓋体の外周面にスペ−サ−を介して断熱板を接着し、該断熱板とケ−ス本体および断熱板と蓋体との間に空気断熱部を設けたことを特徴とする楽器用ケース。
【請求項２】
前記ケ−ス本体と蓋体の各側壁の外周面にスペ−サ−を介して断熱板を接着し、該断熱板と各側壁との間に空気断熱部を設けた請求項１記載の楽器用ケース。
【請求項３】
前記ケ−ス本体と、蓋体と、側壁の各外周面に複数のスペ−サ−を離間して接着した請求項１または２記載の楽器用ケース。
【請求項４】
前記スペ−サ−を紙部材で形成し、前記断熱板を合成樹脂部材で形成した請求項１または２記載の楽器用ケース。
【請求項５】
前記ケ−ス本体と蓋体の少なくとも上面若しくは下面に被覆した前記断熱板の外周面に、柔軟な緩衝板を接着した請求項１または２記載の楽器用ケース。
【請求項６】
楽器を収容可能なケ−ス本体と、該ケ−ス本体を開閉可能な蓋体とを備え、前記ケ−ス本体と蓋体の非直線状の側端縁を複数の蝶番を介して回動可能に連結した楽器用ケースにおいて、前記ケ−ス本体と蓋体の側端縁の所定位置に直線状部を設け、該直線状部に前記蝶番を取り付けたことを特徴とする楽器用ケース。
【請求項７】
前記蝶番を布部材で構成した請求項６記載の楽器用ケース。
【請求項８】
前記複数の蝶番の枢支位置を平面上、同一直線上に配置した請求項６記載の楽器用ケース。
【請求項９】
前記ケ−ス本体と蓋体の楽器本体側に配置した蝶番を、ネック部側に配置した蝶番よりも長尺に形成した請求項６または７記載の楽器用ケース。
【請求項１０】
前記各蝶番を布製の一対の内外側片で構成し、該内外側片を前記ケ−ス本体と蓋体の各直線状部の内外面に接着した請求項６または７記載の楽器用ケース。
【請求項１１】
前記複数の蝶番間の大小の周縁部に長さを異にするスライドファスナ−を配置し、各スライドファスナ−を別々に開閉可能にした請求項６または７記載の楽器用ケース。
【請求項１２】
楽器を収容可能なケ−ス本体と、該ケ−ス本体を開閉可能な蓋体とを備え、前記ケ−ス本体内に収納物を収納可能なポケットを開閉可能に設けるとともに、前記ケ−ス本体の外側に把手を設けた楽器用ケースにおいて、前記把手と対応するケ−ス本体の内側面に係合片を固定し、該係合片の上端部をケ−ス本体の上端面から突出し、該突出部を前記蓋体の側端部内面に係合可能に配置したことを特徴とする楽器用ケース。
【請求項１３】
前記ポケットを区画する一側端部を、ネック側の先端部側へ下向きに傾斜させて配置した請求項１２記載の楽器用ケース。
【請求項１４】
前記ポケットを区画する他側端部に二つの掛止片を離間して突設し、前記掛止片間に前記ポケットを開閉する蓋板の端部を係脱可能に設けた請求項１２記載の楽器用ケース。
【請求項１５】
前記蓋体の内面に、前記楽器と係合可能な複数のストッパ−を着脱可能に取り付けた請求項１２記載の楽器用ケース。
【請求項１６】
前記ストッパ−を所定硬度に構成して、前記楽器との係合時に変位不能に設け、該ストッパ−を閉蓋時は前記楽器と離間して配置した請求項１２記載の楽器用ケース。
【請求項１７】
前記ストッパ−の一部を、前記楽器本体の端部に係合可能に配置した請求項１６記載の楽器用ケース。
【発明の詳細な説明】
【０００１】
【発明の属する技術分野】
本発明は、例えばクラシックギタ−等の弦楽器用ケ−スに好適で、軽量で高い断熱性と緩衝作用を得られ、搬送時や保管時における湿気や温度、衝撃から楽器を防護し、音色の変化や音質の劣化を防止するとともに、その損傷や破損を防止し、またケ−ス本体と蓋体との開閉操作の合理化と、開閉作動の円滑かつ安定化を図り、ケ−ス内の密閉性を高める一方、ケ−ス本体内のポケットを合理的に構成し、ケース本体のスペ−スの有効利用を図るとともに、楽器の表面板ないし駒への接触および押圧等を極力阻止し、その音色の変化や音質の劣化を阻止して、楽器を安全に搬送し保管できるようにした楽器用ケースに関する。
【０００２】
【従来の技術】
ギタ−等の弦楽器は、一般に衝撃等に弱く、また湿気や温度の変化に非常に敏感で音色が微妙に変化する。
例えば弦楽器の響胴の表面板が膨張し或いは収縮すると、表面板の振動ないし共鳴作用が変化して音色が変化し、楽器が変質したり性能が劣化したりする。
更に、弦楽器を例えば直射日光や車中等で高温に晒すと、前述のように音色が変化するとともに、楽器周面に塗布したワニスや塗料が溶解して、楽器や楽器用ケ−スを汚損する惧れがある。
【０００３】
このため、楽器用ケ−スは、楽器の保管や搬送に際して、湿気や熱、衝撃等に細心の注意を払っている。例えば、従来の楽器用ケ−スは、楽器を収納するベニヤ板製の本体と、該本体に蝶番を介して回動可能に連結したベニヤ板製の蓋体とで構成し、該ベニヤ板の外側面にビニ−ルシ−トを合着し、該シ−トに発泡ウレタンを貼り付け、またベニヤ板の内側面にウレタンを貼り付けていた（例えば、特許文献１）。
【０００４】
しかし、前記楽器用ケ−スは、本体と蓋体とがベニヤ板を基本板としているため、強度が向上するが大重量化し、またベニヤ板に複数の合成樹脂層を積層しているため、大重量化を助長するとともに、十分な断熱効果を得られなかった。
【０００５】
そこで、前記問題を解決するものとして、出願人は、楽器を収納するケ−ス本体と、該本体に開閉可能に連結した蓋体と、それらの内部に発泡合成樹脂製の本体コアとカバ−コアとを収納し、前記ケ−ス本体のネック部にポケットを設けた、楽器用ケ−スを既に提案している（例えば、特許文献２）。
【０００６】
しかし、前記楽器用ケ−スは、軽量で所定の強度を得られるが、十分な断熱効果を得られず、またケ−ス本体と蓋体との三箇所を蝶番で連結していたが、ケ−ス本体と蓋体の密着性に不安があった。
特に、ケ−ス本体と蓋体の先端部は曲面状に形成されているため、当該部の蝶番が略点接触状態で取り付けられ、蝶番の取り付け強度や開閉動作の円滑性に不安があった。また、前記ポケットは収納スペ−スが小さいため、例えば折り畳み可能な演奏用の足台を収納することができなかった。
【０００７】
このような問題を解決するものとして、楽器を収納する収納箱と、害収納箱を開閉する蓋体とを備え、前記蓋体を固定蓋と開閉蓋とで構成し、固定蓋の一端を収納箱の上端縁に接続し、固定蓋の他端に開閉蓋を折り曲げ可能に連結した弦楽器等の収納ケ−スがある（例えば、特許文献３）。
【０００８】
しかし、前記収納ケ−スは、開口部の一部に固定蓋が位置しているため、楽器の出し入れが面倒で、また開閉蓋を略平板状に形成しているため、収納ケ−スに十分な収納スペ−スを確保し難く、楽器の収納時はギタ−の表面板に蓋体が接触することとなって、楽器の防護上および音色維持上具合悪い。
【０００９】
また、前記ポケットの問題を解決するものとして、ケ−ス主体の中間部に小物容器部を設け、該容器部の一端に中蓋の基端部を上下に回動可能に連結した弦楽器用ケ−スがある（例えば、特許文献４）。
【００１０】
しかし、前記弦楽器用ケ−スの小物容器部は、ケ−ス主体の長さ方向の両端を垂直壁で仕切り形成しているため、小物容器部の隣に楽器のヘッド全体を収容するスペ−スを要して、ケ−ス主体が長尺になり、ケ−スの大形重量化を助長する問題があった。
また、中蓋の先端を垂直壁の上端に押し当てて、小物容器部を閉塞しているため、楽器の取り出し後、中蓋がケ−ス主体の姿勢や振動によって容易に開放し、小物容器部内の収納物が外部へ飛び出てしまう問題があった。
【００１１】
一方、弦楽器用ケ−スには、搬送中の楽器の移動やガタを防止する手段として、蓋の内面に押圧スポンジを設け、閉蓋時に押圧スポンジをエレキギタ−主体の表面板に押し付けて、所期の目的を達成している（例えば、特許文献５）。
【００１２】
この場合、エレキギタ−は構造上、弦の振動で音色を発生し、クラシックギタ−やバイオリンのように、表面板の振動や共鳴によって音色を形成しないから、前述のように押圧スポンジを表面板に押し付けても、エレキギタ−の音色に変化はなく、エレキギタ−が変質したり性能が劣化することはない。
しかし、前述の手段をクラシックギタ−やバイオリンに適用すると、表面板が押圧されて張力が変化し、表面板の振動や共鳴作用が変化して音色が変わるため、前述の手段を採用することはできない。
【００１３】
【特許文献１】
特公昭５９−５３０４２号公報
【特許文献２】
特許第３３２１７５２号公報
【特許文献３】
特開昭６１−１３３９９０号公報
【特許文献４】
実開昭５５−５７７８３号公報
【特許文献５】
実開昭５１−１４５０４２号公報
【００１４】
【発明が解決しようとする課題】
本発明はこのような問題を解決し、例えばクラシックギタ−等の弦楽器用ケ−スに好適で、軽量で高い断熱性と緩衝作用を得られ、搬送時や保管時における湿気や温度、衝撃から楽器を防護し、音色の変化や音質の劣化を防止するとともに、その損傷や破損を防止し、またケ−ス本体と蓋体との開閉操作の合理化と、開閉作動の円滑かつ安定化を図り、ケ−ス内の密閉性を高める一方、ケ−ス本体内のポケットを合理的に構成し、ケース本体のスペ−スの有効利用を図るとともに、楽器の表面板ないし駒への接触および押圧等を極力阻止し、その音色の変化や音質の劣化を阻止して、楽器を安全に搬送し保管できるようにした楽器用ケースを提供することを目的とする。
【００１５】
【課題を解決するための手段】
このため、請求項１の発明は、楽器を収容可能なケ−ス本体と、該ケ−ス本体を開閉可能な蓋体とを回動可能に連結した楽器用ケースにおいて、前記ケ−ス本体と蓋体の外周面にスペ−サ−を介して断熱板を接着し、該断熱板とケ−ス本体および断熱板と蓋体との間に空気断熱部を設け、楽器ケ−スの周面に本体または蓋体の各周壁と、空気断熱部と断熱板とで、温度および湿度並びに衝撃等に対する三重の防護層を形成し、楽器ケ−スの断熱効果と緩衝効果を高め、ケ−ス内の楽器を安全かつ確実に防護し、楽器の搬送時または保管時における音色の変化や音質の劣化、汚損や破損等を確実に防止得るようにしている。
【００１６】
請求項２の発明は、前記ケ−ス本体と蓋体の各側壁の外周面にスペ−サ−を介して断熱板を接着し、該断熱板と各側壁との間に空気断熱部を設け、側壁を有する楽器ケ−スの周面全域に、温度および湿度並びに衝撃等に対する三重の防護層を形成して、楽器ケ−スの断熱効果と緩衝効果を高め、ケ−ス内の楽器を安全かつ確実に防護し、楽器の搬送時または保管時における音色の変化や音質の劣化、汚損や破損等を確実に防止得るようにしている。
請求項３の発明は、前記ケ−ス本体と、蓋体と、側壁の各外周面に複数のスペ−サ−を離間して接着し、各スペ−サ−を補強材として機能させるとともに、空気断熱部の具体的な形成を実現している。
請求項４の発明は、前記スペ−サ−を紙部材で形成し、前記断熱板を合成樹脂部材で形成し、楽器ケ−スの軽量化と断熱効果の向上を図るようにしている。
【００１７】
請求項５の発明は、前記ケ−ス本体と蓋体の少なくとも上面若しくは下面に被覆した前記断熱板の外周面に、柔軟な緩衝板を接着し、搬送時や保管時における外力や衝撃の耐力を向上し、楽器の防護を向上するようにしている。
請求項６の発明は、楽器を収容可能なケ−ス本体と、該ケ−ス本体を開閉可能な蓋体とを備え、前記ケ−ス本体と蓋体の非直線状の側端縁を複数の蝶番を介して回動可能に連結した楽器用ケースにおいて、前記ケ−ス本体と蓋体の側端縁の所定位置に直線状部を設け、該直線状部に前記蝶番を取り付け、蝶番を強固かつ安定して取り付け、その回動作動の安定化を図り、蓋体を円滑に開閉し得るようにしている。
請求項７の発明は、前記蝶番を布部材で構成し、蝶番による回動作動を制動し、蓋体の開閉時における衝撃を緩和して、楽器に対する影響を軽減するとともに、金属製の蝶番に比べ安価に製作できるようにしている。
請求項８の発明は、前記複数の蝶番の枢支位置を平面上、同一直線上に配置し、各蝶番の円滑かつ安定した回動作動を促し、蓋体の円滑かつ安定した開閉作動を得られるようにしている。
【００１８】
請求項９の発明は、前記ケ−ス本体と蓋体の楽器本体側に配置した蝶番を、ネック部側に配置した蝶番よりも長尺に形成し、蓋体の円滑かつ安定した開閉作動を合理的に得られるようにしている。
請求項１０の発明は、前記各蝶番を布製の一対の内外側片で構成し、該内外側片を前記ケ−ス本体と蓋体の各直線状部の内外面に接着し、蝶番の取り付け強度を強化するとともに、布製の具体的な蝶番を提供するようにしている。
請求項１１の発明は、前記複数の蝶番間の大小の周縁部に長さを異にするスライドファスナ−を配置し、各スライドファスナ−を別々に開閉可能にし、蓋体の開閉操作を合理的に行なうようにしている。
【００１９】
請求項１２の発明は、楽器を収容可能なケ−ス本体と、該ケ−ス本体を開閉可能な蓋体とを備え、前記ケ−ス本体内に収納物を収納可能なポケットを開閉可能に設けるとともに、前記ケ−ス本体の外側に把手を設けた楽器用ケースにおいて、前記把手と対応するケ−ス本体の内側面に係合片を固定し、該係合片の上端部をケ−ス本体の上端面から突出し、該突出部を前記蓋体の側端部内面に係合可能に配置し、把手を保持して楽器ケ−スを搬送する際、把手を取り付けたケ−ス本体の側壁の上側変位ないし拡開動作を防止し、経年的な使用に伴うケ−スの変形を防止し、その寿命を向上するようにしている。
【００２０】
請求項１３の発明は、前記ポケットを区画する一側端部を、ネック側の先端部側へ下向きに傾斜させて配置し、ポケット内の下部スペ−スを拡張して、折り畳み式演奏用足台等の長尺物の収納を実現するとともに、前記収納物と楽器のヘッド部との近接した収納を実現し、ケ−ス本体のネック側スペ−スの有効利用を図るようにしている。
請求項１４の発明は、前記ポケットを区画する他側端部に二つの掛止片を離間して突設し、前記掛止片間に前記ポケットを開閉する蓋板の端部を係脱可能に設け、ポケットの開放を制約して、例えばケ−ス横転時における収納物の飛び出しを防止するようにしている。
請求項１５の発明は、前記蓋体の内面に、前記楽器と係合可能な複数のストッパ−を着脱可能に取り付け、ストッパ−を楽器に応じて最適位置に取り付け可能にしている。
【００２１】
請求項１６の発明は、前記ストッパ−を所定硬度に構成して、前記楽器との係合時に変位不能に設け、該ストッパ−を閉蓋時は前記楽器と離間して配置し、ストッパ−と楽器との接触を可及的に阻止し、前記接触に伴う表面板の振動作用や共鳴作用の変化を未然に防止し、音色の変質を防止し得るようにしている。
請求項１７の発明は、前記ストッパ−の一部を、前記楽器本体の端部に係合可能に配置し、ストッパ−を楽器本体側の表面板の端部に接触させるようにして、表面板の振動作用や共鳴作用の変化を極力阻止し、音色の変質を防止し得るようにしている。
【００２２】
【発明の実施の形態】
以下、本発明を表面板の振動や共鳴によって音色を形成し変化させる構造の弦楽器として、クラシックギタ−ないしアコ−スティックギタ−のケ−スに適用した図示の実施形態について説明すると、図１乃至図１２において１はギタ−ケ−スで、該ケ−ス１は発泡ポリスチレン等の合成樹脂製のケ−ス本体２と、該ケ−ス本体２と同質の合成樹脂製の蓋体３とで構成され、該蓋体３が蝶番４，５を介してケ−ス本体２に回動可能に連結され、該ケ−ス本体２にクラシックギタ−６（以下、単にギタ−と呼ぶ）が収納されている。
【００２３】
前記ケ−ス本体２と蓋体３は略同一の平面形状に形成され、それらの形状は、前記ギタ−６の本体部である響胴部６ａと、ネック部６ｂの平面形状に近似する形状をしていて、その断面形状を略Ｕ字形ないしコ字形状に形成している。
すなわち、前記ケ−ス本体２は、前記ギタ−６の平面形状に近似する合成樹脂板製の底板７と、同様な合成樹脂板製の側壁８とで構成され、前記底板７の一側面、つまり上側面の端部周面に単一または複数の側壁用板材を接着して構成している。
【００２４】
また、前記蓋体３は、前記ギタ−６の平面形状に近似する合成樹脂板製の天井板９と、同様な合成樹脂板製の側壁１０とで構成され、前記天井板９の一側面、つまり下側面の端部周面に単一または複数の側壁用板材を接着して構成している
前記側壁８，１０の高さは相違していて、閉蓋時に側壁８，１０の端面を突き合わせて、ケ−ス１内を密閉可能にしている。
【００２５】
前記ケ−ス本体２と蓋体３の外側面に、合成樹脂製の化粧カバ−１１，１２がピン１３を介して取り付けられ、該化粧カバ−１１，１２の端部周縁、つまり後述する二つの蝶番間の大周縁部に、第１スライドファスナ−１４，１４が取り付けられ、前記二つの蝶番間の小周縁部に、第２スライドファスナ−１５，１５が取り付けられ、これらのスライドファスナ−１４，１５を噛合させて、ケ−ス本体２と蓋体３を開閉可能にしている。
【００２６】
前記第１スライドファスナ−１４，１４に二つのプルタブ１６が設けられ、また第２スライドファスナ−１５，１５に一つのプルタブ１６が設けられ、これらのプルタブ１６を介して、前記第１および第２スライドファスナ−１４，１５を別々に開閉操作し、蓋体３の開閉操作の容易化とケ−ス本体２の密閉性を向上させている。図中、１７はケ−ス本体２の側壁８の外周面に回動可能に連結した把手である
【００２７】
前記化粧カバ−１１，１２の被着前のケ−ス本体２と蓋体５は図４のようで、ケ−ス本体２の底面板７の下面と、蓋体３の天井板９の上面に、紙製のスペ−サ−１８〜２１が、ケ−ス本体２または蓋体３の略長さ方向に沿って接着されている。
前記スペ−サ−１８〜２１は、若干肉厚（０．８〜１．０ｍｍ）の厚紙を短冊状に裁断して形成され、このうちスペ−サ−１８，２０はスペ−サ−１８，２０よりも短小に形成され、該スペ−サ−１８，２０を底面板７または天井板９の幅狭なネック６ｂ側に離間して配置し、前記スペ−サ−１９，２１を幅広な響胴６ａ側に離間して配置している。
【００２８】
前記スペ−サ−１８〜２１の外面に、補強を兼ねる断熱板２２，２３が接着され、該断熱板２２，２３は断熱性に優れるポリプロピレン等の合成樹脂板（実施形態では厚さ２〜３ｍｍ）を裁断して、前記底板７または天井板９と略同形に形成している。
【００２９】
前記底板７とスペ−サ−１８，１８および１９，１９間並びに断熱板２２との間に、空気断熱部２４が設けられ、同様に前記天井板９とスペ−サ−２０，２０および２１，２１間並びに断熱板２３との間に、空気断熱部２５が設けられている
前記空気断熱部２４，２５は、前記空スペ−スに封入または滞留した空気によって断熱作用を奏するようにしている。
【００３０】
また、前記ケ−ス本体２の側壁８と蓋体３の側壁１０の外周面に、それぞれ前記スペ−サ−１８〜２１と同質の紙製のスペ−サ−２６，５８が離間して接着されている。
前記スペ−サ−２６，５８は前記スペ−サ−１８〜２１より若干幅狭に形成され、これらは前記紙材を帯状に裁断して形成され、該スペ−サ−２６，５８の外周面に、補強を兼ねる合成樹脂製の断熱板２７，２９が接着されている。
【００３１】
前記断熱板２７，２９は断熱板２２，２３と同質部材で構成され、該部材を前記側壁８，１０と略等幅に裁断して形成され、該断熱板２７とスペ−サ−２６，２６間と側壁８との間、および断熱板２９とスペ−サ−５８，５８間と側壁１０との間に、前記空気断熱部２４，２５と同様の空気断熱部２８，５９が設けられている。
【００３２】
図中、６１，６２は断熱板２２，２３と同形に形成した緩衝板で、ポリウレタンフォ−ム等の柔軟な弾性板を裁断して形成され、これを断熱板２２，２３に接着している。
なお、演奏ツア−用の楽器ケ−スの場合は、前記緩衝板として前記緩衝板６１，６２より若干肉厚のものを使用し、側壁８，１０側の弾性板２７，２９の外周面にも同様な厚肉の緩衝板を接着し、より大きな外力や衝撃に堪えられるように構成することが望ましい。
【００３３】
前記ケ−ス本体２内のネック部６ｂ側にポケット３０が設けられ、該ポケット３０は仕切板３１と傾斜板３２とで両端を区画し、該傾斜板３２の上端部に蓋板３３を上下に回動可能に取り付け、ポケット３０を開閉可能にしている。
前記仕切板３１と傾斜板３２、および蓋板３３とは、前記ケ−ス本体２と同質の合成樹脂板で構成され、このうち仕切板３１と蓋板３３の両側部はベニヤ板（図示略）で補強され、該補強部をケ−ス本体２にビス止めしている。図中、３４は前記止めビスである。
【００３４】
前記仕切板３１は前記ネック部６ｂの基部側に設けられ、該仕切板３１の上端部にネック部６ｂを収容可能な凹部３５が設けられ、該凹部３５に柔軟な弾性部材３６が取り付けられている。
前記仕切板３１の一側面の上下位置に、大小の掛止片３７，３８が離間して設けられ、これらは前記ケ−ス本体２と同質の合成樹脂板で構成され、これらの間に蓋板３３の先端部を挟持させ、ギタ−６の取り出し後に蓋板３３の開放を防止可能にしている。
【００３５】
図中、３９は蓋板３３の先端部に取り付けた摘み、４０はポケット３０の内外面に取り付けた柔軟な内装布、４１はポケット３０に収納した収納物で、実施形態では折り畳み可能な演奏用の足台を用いている。
４２はギタ−６のヘッド部、６０はヘッド部４２に設けた糸巻き用のペグ、４３は前記側壁８の把手１７と対応する内面に取り付けた係合片で、実施形態では矩形のベニヤで構成され、その上端部を側壁８の上端面から突出し、この突出部４３ａを蓋体３の側壁１０の内面に係合可能にしている。
【００３６】
このようにすることで、把手１７を保持してケ−ス１を搬送する際、把手１７に引張られて外側へ変位し拡開する側壁８を、係合片４３を介し突出部４３ａを側壁１０の内面に係合させて、前記変位ないし拡開を防止するようにしている。
【００３７】
前記蝶番４，５は、図１０のように前記片側の側壁８，１０間の二位置に設けられ、このうち蝶番４はネック部６ｂ側の先端部に設けられ、蝶番５は響胴部６ａ側の略全域に亘って設けられている。
前記蝶番４を取り付ける側壁８，１０の内面に、浅底の成形溝４４，４４が蝶番４の略幅分離間して刻設され、該成形溝４４，４４を介して側壁８，１０の曲面部を直線状に成形し、該成形部８ａ，１０ａに前記蝶番４を取り付けている。
【００３８】
前記蝶番４は、図１１のように布製の内側片４５と外側片４６とを有し、これらを前記成形部８ａ，１０ａの内外面に亘って接着し、内側片４５の両端部に布製の補強片４７を接着している。
図中、４８はケ−ス本体２のネック部６ｂ側の先端部に設けた略Ｕ字形状の補強壁で、ケ−ス本体２と同様の合成樹脂板を折曲して形成され、その一端部を前記補強片４７に密接して配置し、該補強壁４８に補強片４７を接着している。
【００３９】
また、前記蝶番５は、図１０のように響胴部６ａ側の側壁８，１０の長尺な直線状部に設けられ、該直線状部は前記直線状の成形部８ａ，１０ａと同一直線上に位置している。
前記蝶番５は前記蝶番４と同様に、布製の長尺な内側片４９と外側片５０とを有し、これらを前記直線状部の内外面に亘って接着し、内側片４９の両端部に布製の補強片５１を接着している。
【００４０】
この他、図中５２，５３はケ−ス本体２と蓋体３の内面に接着して取り付けた柔軟な内装布で、このうち蓋体３側の内装布５３の所望位置に、例えば両面接着テ−プを介して、板状のストッパ−５４〜５６が取り付けられている。
前記ストッパ−５４〜５６は、容易に圧縮変位しない適宜硬度を備えた材質、実施形態ではケ−ス本体２と同様な合成樹脂で構成され、その板厚は側壁１０の高さより若干薄厚に形成されていて、蓋体３の閉塞時は、ギタ−６の響胴部６ａの表面板ないし駒やネック部６ｂの表面から離間して配置されている。
【００４１】
このうち、ストッパ−５４，５５は響胴部６ａの端部側に配置され、閉蓋時にギタ−６が動揺し、ストッパ−５４，５５が響胴部６ａに接触しても、その表面板に対する接触ないし押圧並びにギタ−６の自重による押圧を回避可能にしている。
図中、５７は把手１７の先端部を回動可能に支持する把手金具で、係合片４３の取付ビスを介して側壁８に取り付けられている。
【００４２】
このように構成した楽器用ケ−スの製作は、例えばケ−ス本体２と蓋体３を製作し、ケ−ス本体２と蓋体３の所定の外周面に、スペ−サ１８〜２１，２６を介して断熱板２２，２３，２７を接着し、また側壁１０上に断熱板２９を接着し、ケ−ス本体２と蓋体３内面の底部と天井部に内装材５２，５３を取り付け、本体２と蓋体３を蝶番４，５で連結し、ケ−ス本体２にポケット３０を取り付け、ケ−ス本体２と蓋体３内面の側周面に内装材５２，５３を取り付け、化粧カバ−１１，１２を取り付け後、把手１７を取り付けて行なう。
【００４３】
ケ−ス本体２の製作は、所定の合成樹脂板を所定形状に裁断して底板７と側壁８用材を作製する。このうち、側壁８用材は複数に分割して作製し、これらを底板７の形状に合わせて加熱成形し、成形した側壁８用材を底板７の一側端部周面に接着する。
その際、ネック部６ｂ側の先端曲面部の所定位置に成形溝４４，４４を刻設し、該溝４４，４４を中心に折り曲げ、前記溝４４，４４間を直線状に成形する。
【００４４】
同様に蓋体３の製作は、所定の合成樹脂板を所定形状に裁断して天井板９と側壁１０用材を作製する。このうち、側壁１０用材は複数に分割して作製し、これらを天井板９の形状に合わせて加熱成形し、成形した側壁１０用材を天井板９の一側端部周面に接着する。
その際、ネック部６ｂ側の先端曲面部の所定位置に成形溝４４，４４と同様な成形溝を刻設し、該溝を中心に折り曲げ、前記成形溝間を直線状に成形する。
【００４５】
次に、所定のスペ−サ−用材、つまり厚紙を短冊状または帯状に裁断してスペ−サ１８〜２１，２６，５８を作製し、また所定の断熱板用材を所定形状に裁断して、断熱板２２，２３，２７，２９を作製する。
すなわち、断熱板２２，２３を前記底板７若しくは天井板９と略同形に裁断して作製し、断熱板２７，２９を側壁８または１０の高さと略等幅の帯状に裁断して作製する。
【００４６】
そして、前記スペ−サ１８，１９を断熱板２２の所定位置、つまりネック部６ｂ側と響胴部６ａ側にそれぞれ離間して接着し、前記スペ−サ１８，１９を介して断熱板２２を底板７の下面に接着する。
同様に、前記スペ−サ２０，２１を断熱板２３の所定位置、つまりネック部６ｂ側と響胴部６ａ側にそれぞれ離間して接着し、前記スペ−サ２０，２１を介して断熱板２３を天井板９上に接着する。
【００４７】
また、前記一対のスペ−サ−２６を側壁８の上下位置に離間して接着し、該スペ−サ−２６，２６に断熱板２７を接着し、前記一対のスペ−サ−５８を側壁１０の上下位置に離間して接着し、該スペ−サ−５８，５８に断熱板２９を接着する。
【００４８】
このようにして、前記底板７とスペ−サ−１８，１８および１９，１９間並びに断熱板２２との間に、空気断熱部２４を形成し、同様に前記天井板９とスペ−サ−２０，２０および２１，２１間並びに断熱板２３との間に、空気断熱部２５を形成する。
また、側壁８とスペ−サ−２６，２６間および断熱板２７との間に、空気断熱部２８を形成し、側壁１０とスペ−サ−５８，５８間および断熱板２９との間に、空気断熱部５９を形成する。
【００４９】
この後、断熱板２２，２３の外周面に緩衝板６１，６２を接着する。前記緩衝板６１，６２の製作は、ポリウレタンフォ−ム等の柔軟な弾性板を断熱板２２，２３と同形に裁断して形成し、これを断熱板２２，２３の外周面に接着する。
前記緩衝板６１，  ６２の接着後、ケ−ス本体２と蓋体３内の側周面に内装材５２，５３を接着する。
【００５０】
次に、ケ−ス本体２内のネック部６ｂ側にポケット３０を取り付ける場合は、所定の合成樹脂板を矩形に裁断して仕切板３１を作製し、その一側の所定位置に掛止片３７，３８を接着する。
また、仕切板３１の上端部に凹部３５を形成し、当該部に弾性部材３６を取り付けるとともに、両側端部にベニヤ板（図示略）を接着し、これらの表面に内装材４０を接着する。
【００５１】
更に、所定の合成樹脂板を矩形に裁断して傾斜板３２と蓋板３３とを作製し、傾斜板３２の両側端部にベニヤ板（図示略）を接着し、該傾斜板３２と蓋板３３の表面に内装材４０を接着し、蓋板３３の先端部に摘み３９を取り付けたところで、ケ−ス本体２と蓋体３内の側周面に内装材５２，５３を接着する。
この後、仕切板３１と傾斜板３２をケ−ス本体２内の所定位置に離間してビス止めし、蓋板３３の先端部を掛止片３７，３８の間に挟持させる。
【００５２】
次に、蝶番４，５を取り付ける場合は、ケ−ス本体２と蓋体３の側壁８，１０の一側で、ネック部６ｂ側の成形部８ａ，１０ａと、響胴部６ａ側の過半部の直線状部に、予め布片を所定寸法に裁断した内外側片４５，４６，４９，５０を内外に接着し、その内側片４５および内側片４９の両端部に補強片４７，５１を接着し、ケ−ス本体２と蓋体３とを回動可能に連結する。
【００５３】
この後、所定の合成樹脂板を折曲して補強壁４８を作製し、該補強壁４８をケ−ス本体２のネック部６ｂ側の先端部に嵌合して接着し、その一側壁を前記補強片４７に密接して配置し、該補強壁４８に補強片４７を接着する。
【００５４】
そして、ケ−ス本体２と蓋体３内の側周面に内装材５２，５３を接着し、またケ−ス本体２と蓋体３の外側周面に化粧カバ−１１，１２を取り付け後、把手１７を取り付ける。
この場合、ケ−ス本体２と蓋体３の外周面に柔軟な緩衝板６１，６２が被覆されているから、その分化粧カバ−１１，１２が緊張して取り付けられ、該カバ−１１，１２の体裁が向上する。
【００５５】
前記把手１７の取り付けに際しては、ベニヤ板を所定形状に裁断して係合片４３を作製し、該係合片４３をケ−ス本体２の側壁８内面の所定位置にビス止めし、その突出部４３ａを側壁８の上端部から突出させ、同時に前記ビスを介して、前記側壁８の外面に把手１７の取付金具５７を取り付ける。この後、係合片４３の内面に内装材５２を接着する。
【００５６】
前記ストッパ５４〜５６は、ケ−ス本体２と同質の合成樹脂板を所定形状に裁断し、実施形態ではこれを二つ積み重ね、その表面に内装材を接着して構成し、その一側面に両面接着テ−プを取り付け、該接着テ−プを介して蓋体３の内装材５３の適所に取り付け可能にする。このようにして一連の製作が終了する。
【００５７】
このように本発明の楽器用ケ−スは、構成部材の大半が比較的軽量小形の合成樹脂部材で構成され、これらを接着して製作できるから、特別の製造設備を要せず、これを容易かつ安価に製作できる。
【００５８】
こうして製作した楽器用ケ−スを使用する場合は、各プルタブ１６を介して第１および第２スライドファスナ−１４，１５を開操作し、蓋体３を開放して、ケ−ス本体２内に弦楽器であるギタ−６を収納する。
この場合、蝶番４，５間の大周縁部を第１スライドファスナ−１４で開閉し、蝶番４，５間の小周縁部を第２スライドファスナ−１５で開閉し、これらの開閉を別々に行なうから、これを単一の第１スライドファスナ−で開閉する場合に比べ、合理的かつ速やかに行なえる。
【００５９】
一方、前記ギタ−６の収納時、ポケット３０に収納物４１を収納する場合は、摘み３９を保持して蓋板３３を引き上げ、ポケット３０を開口して収納物４１を収納する。収納後、蓋板３３を手放し、かつこれを軽く押圧して、蓋板３３の先端部を掛止片３７，３８の間に押し込み、それらに係合させて保持させる。
したがって、ギタ−６の取り出し後、例えばケ−ス１が横転しても、蓋板３３の開放を防止できるから、ポケット３０から収納物４１が飛び出すことはない。
【００６０】
また、ポケット３０は一端を傾斜板３２で仕切り、内部の下側をネック部６ｂの長さ方向に広げているから、折り畳み式足台のような比較的長尺な収納物４１を収納でき、一方、傾斜板３２上に糸巻き用ペグ６０を収容できるから、狭いネック部６ｂのスペ−スの有効利用を図れる。
【００６１】
そして、ギタ−６と収納物４１を収納後、蓋体３の内装材５３の所望位置に、両面接着テ−プを介してストッパ−５４〜５６を取り付ける。実施形態では、二つのストッパ−５４，５５を響胴部６ａの両端部に取り付け、一つのストッパ−５６をネック部６ｂの中央部に取り付けている。
【００６２】
この後、蓋体３を閉鎖し、第１および第２スライドファスナ−１４，１５を介して、ケ−ス本体２と蓋体３を密閉し、把手１７を保持してギタ−ケ−ス１を搬送する。
この場合、ケ−ス本体２と蓋体３は、蝶番４，５以外の開口縁を、第１および第２スライドファスナ−１４，１５で完全に密閉されるから、ケ−ス１内の気密性が向上する。
しかも、蝶番４は曲面状のネック部６ｂで直線状に取り付けられ、また蝶番５も長尺の直線状に取り付けられ、かつ蝶番４，５の枢支部が同一直線上に位置しているから、蓋体３の開閉作動が円滑かつ安定し、蝶番４，５のガタや破損を防止して、その寿命の向上を図れる。
【００６３】
また、把手１７を保持してギタ−ケ−ス１を搬送する際、ネック部６ｂが斜め上向きに位置し、把手１７を取り付けた側壁８に前記収納物の重量が作用し、該側壁８がその剛性に抗して上側へ変位し、開口縁を拡開する。
その際、係合片４３の突出部４３ａが蓋体３の側壁１０の内面と係合し、側壁８の前記した変位と拡開を阻止する。したがって、経年的な使用によって側壁８が変形し破損することはない。
【００６４】
更に、ギタ−ケ−ス１が静止状態で搬送されるときは、ギタ−６の響胴部６ａやネック部６ｂが前記ストッパ−５４〜５６から離間し、このうちのストッパ−５４，５５が響胴部６ａの表面板ないし駒に接触しないから、表面板の張力が変化せず、その振動ないし共鳴動作の変質を防止する。
また、ギタ−ケ−ス１が振動し揺動して搬送されるときは、ギタ−６が同動して響胴部６ａやネック部６ｂが前記ストッパ−５４〜５６に接触し、ギタ−６の揺動を抑止する。
【００６５】
その際、ストッパ−５４，５５は響胴部６ａの端部に位置し、表面板ないし駒との接触を極力阻止し、更にストッパ−５４，５５は一定の硬度を備えているから、ギタ−６が傾動し、その自重でストッパ−５４，５５に接触しても、表面板が前記自重で押圧されることはなく、表面板の振動ないし共鳴動作の変質を防止する。
【００６６】
一方、前記ギタ−ケ−ス１が搬送時や保管時に高温または低温下に置かれると、それらの雰囲気は先ず第１および第２ファスナ−１４，１５による気密性によってケ−ス１内への侵入を阻止され、またギタ−ケ−ス１の略全周に被覆した断熱板２２，２３，２７，２９と、その内側に設けた空気断熱部２４，２５，２８，５９と、更にその内側のケ−ス本体２と蓋体３の各周壁によって、三重に防護されるから、外部からの熱伝導を強力かつ確実に防止し、ギタ−６を確実に防護する。
【００６７】
したがって、温度によって表面板が膨張し或いは収縮して、その振動や共鳴作用が変質しまたは劣化し、音色が変質する事態を防止するとともに、ギタ−６に塗布された塗料やワニスの溶解を防止し、ギタ−６やギタ−ケ−ス１の汚損を未然に防止する。
【００６８】
また、前記ギタ−ケ−ス１は、その略全周に被覆した断熱板２２，２３，２７，２９と、その内側に設けた空気断熱部２４，２５，２８，５９と、その内側のケ−ス本体２と蓋体３の周壁と、外周面に被覆した緩衝板６１，６２によって、四重に防護されているから、外部の衝撃を強力かつ確実に緩衝し、ギタ−６を確実に防護する。
【００６９】
【発明の効果】
請求項１の発明は、ケ−ス本体と蓋体の外周面にスペ−サ−を介して断熱板を接着し、該断熱板とケ−ス本体および断熱板と蓋体との間に空気断熱部を設けたから、楽器ケ−スの周面に本体または蓋体の各周壁と、空気断熱部と断熱板とで、温度および湿度並びに衝撃等に対する三重の防護層を形成し、楽器ケ−スの断熱効果と緩衝効果を高め、ケ−ス内の楽器を安全かつ確実に防護し、楽器の搬送時または保管時における音色の変化や音質の劣化、汚損や破損等を確実に防止することができる。
【００７０】
請求項２の発明は、前記ケ−ス本体と蓋体の各側壁の外周面にスペ−サ−を介して断熱板を接着し、該断熱板と各側壁との間に空気断熱部を設けたから、側壁を有する楽器ケ−スの周面全域に、温度および湿度並びに衝撃等に対する三重の防護層を形成して、楽器ケ−スの断熱効果と緩衝効果を高め、ケ−ス内の楽器を安全かつ確実に防護し、楽器の搬送時または保管時における音色の変化や音質の劣化、汚損や破損等を確実に防止することができる。
請求項３の発明は、前記ケ−ス本体と、蓋体と、側壁の各外周面に複数のスペ−サ−を離間して接着したから、各スペ−サ−を補強材として機能させるとともに、空気断熱部の具体的な形成を実現することができる。
請求項４の発明は、前記スペ−サ−を紙部材で形成し、前記断熱板を合成樹脂部材で形成したから、楽器ケ−スの軽量化と断熱効果の向上を図ることができる
【００７１】
請求項５の発明は、前記ケ−ス本体と蓋体の少なくとも上面若しくは下面に被覆した前記断熱板の外周面に、柔軟な緩衝板を接着したから、搬送時や保管時における外力や衝撃の耐力を向上し、楽器の防護を向上することができる。
請求項６の発明は、ケ−ス本体と蓋体の側端縁の所定位置に直線状部を設け、該直線状部に前記蝶番を取り付けたから、蝶番を強固かつ安定して取り付けられるとともに、その回動作動の安定化を図り、蓋体を円滑に開閉することができる
請求項７の発明は、前記蝶番を布部材で構成したから、蝶番による回動作動を制動し、蓋体の開閉時における衝撃を緩和して、楽器に対する影響を軽減するとともに、金属製の蝶番に比べ安価に製作できる効果がある。
請求項８の発明は、前記複数の蝶番の枢支位置を平面上、同一直線上に配置し、各蝶番の円滑かつ安定した回動作動を促し、蓋体の円滑かつ安定した開閉作動を得られる効果がある。
請求項９の発明は、前記ケ−ス本体と蓋体の楽器本体側に配置した蝶番を、ネック部側に配置した蝶番よりも長尺に形成したから、蓋体の円滑かつ安定した開閉作動を合理的に得ることができる。
【００７２】
請求項１０の発明は、前記各蝶番を布製の一対の内外側片で構成し、該内外側片を前記ケ−ス本体と蓋体の各直線状部の内外面に接着したから、蝶番の取り付け強度を強化するとともに、柔らかな回動作動によって衝撃を吸収し、楽器に対する影響を緩和することができる。
請求項１１の発明は、前記複数の蝶番間の大小の周縁部に長さを異にするスライドファスナ−を配置し、各スライドファスナ−を別々に開閉可能にしたから、蓋体の開閉操作を合理的に行なうことができる。
請求項１２の発明は、把手と対応するケ−ス本体の内側面に係合片を固定し、該係合片の上端部をケ−ス本体の上端面から突出し、該突出部を前記蓋体の側端部内面に係合可能に配置したから、把手を保持して楽器ケ−スを搬送する際、把手を取り付けたケ−ス本体の側壁の上側変位ないし拡開を防止し、ケ−スの経年的な使用に伴う変形を防止し、その寿命を向上することができる。
【００７３】
請求項１３の発明は、前記ポケットを区画する一側端部を、ネック側の先端部側へ下向きに傾斜させて配置したから、ポケット内の下部スペ−スを拡張して、折り畳み式演奏用足台等の長尺物の収納を実現するとともに、前記収納物と楽器のヘッド部との近接した収納を実現し、ケ−ス本体のネック側スペ−スの有効利用を図ることができる。
請求項１４の発明は、前記ポケットを区画する他側端部に二つの掛止片を離間して突設し、前記掛止片間に前記ポケットを開閉する蓋板の端部を係脱可能に設けたから、ポケットの開放を制約して、例えばケ−ス横転時における収納物の飛び出しを防止することができる。
請求項１５の発明は、前記蓋体の内面に、前記楽器と係合可能な複数のストッパ−を着脱可能に取り付けたから、ストッパ−を楽器に応じて最適位置に取り付けることができる。
【００７４】
請求項１６の発明は、前記ストッパ−を所定硬度に構成して、前記楽器との係合時に変位不能に設け、該ストッパ−を閉蓋時は前記楽器と離間して配置したから、ストッパ−と楽器との接触を阻止し、前記接触に伴う表面板の振動作用や共鳴作用の変化を未然に防止し、音色の変質ないし劣化を防止することができる。
請求項１７の発明は、前記ストッパ−の一部を、前記楽器本体の端部に係合可能に配置したから、ストッパ−を楽器本体側の表面板の端部に接触させるようにして、表面板の振動作用や共鳴作用の変化を阻止し、音色の変質ないし劣化を防止することができる。
【図面の簡単な説明】
【図１】本発明を適用したギタ−ケ−スを示す斜視図である。
【図２】前記ギタ−ケ−スの開蓋状態を示す斜視図である。
【図３】図２のＡ−Ａ線に沿う拡大断面図で、把手の取り付け状況を示している。
【図４】本発明を適用したギタ−ケ−スを示す斜視図で、化粧カバ−を取り付け前のケ−ス本体と蓋体との閉鎖状況を示している。
【図５】図４のＢ−Ｂ線に沿う拡大断面図である。
【図６】図４のＣ−Ｃ線に沿う拡大断面図である。
【図７】図４のＤ−Ｄ線に沿う拡大断面図である。
【図８】本発明を適用したギタ−ケ−スのケ−ス本体内に設けたポケットの構成を拡大して示す断面図で、ポケットの閉鎖状態を示している。
【図９】本発明を適用したギタ−ケ−スの要部の組み付け状況を分解して示す斜視図である。
【図１０】本発明を適用したギタ−ケ−スのケ−ス本体と蓋体との蝶番による連結状況を示す平面図である。
【図１１】図１０のＥ−Ｅ線に沿う拡大断面図である。
【図１２】図１０のＦ−Ｆ線に沿う拡大断面図である。
【符号の説明】
１                      ケ−ス（ギタ−ケ−ス）
２                        ケ−ス本体
３                        蓋体
４，５                  蝶番
６                      楽器（ギタ−）
６ａ                    楽器本体（響胴部）
６ｂ                    ネック部
８，１０                側壁
１４                    第１スライドファスナ−
１５                    第１スライドファスナ−
１７                    把手
１８〜２１              スペ−サ
２２，２３，２７，２９  断熱板
２４，２５，２８，５９  空気断熱部
２６，５８              スペ−サ
３０                    ポケット
３７，３８              掛止片
４１                    収納物
４３                    係合片
４３                    突出部
４５，４９              内側片
４６，５０              外側片
５４〜５６              ストッパ−
６１，６２              緩衝板
【図１】
2004344406.tif 000003
【図２】
2004344406.tif 000004
【図３】
2004344406.tif 000005
【図４】
2004344406.tif 000006
【図５】
2004344406.tif 000007
【図６】
2004344406.tif 000008
【図７】
2004344406.tif 000009
【図８】
2004344406.tif 000010
【図９】
2004344406.tif 000011
【図１０】
2004344406.tif 000012
【図１１】
2004344406.tif 000013
【図１２】
2004344406.tif 000014